(57)【特許請求の範囲】
【請求項１】
人体の背部の略高さ寸法に形成してあり、
基部とその左、右に左、右側縁部を立ち上げてフレームを形成し、
左、右側縁部には長さ方向に向き、かつ緩いカーブを有するガイド用スリットを穿設してあり、
フレームの上、下端部にはギヤを設けたシャフトを取付け、この上、下シャフト間にはギヤに噛合してローラーチェーンを巻設し、
ローラーチェーンにはもみ玉ローラーを固定したシャフトブッシュを取付け、
このシャフトブッシュの左、右端部に設けた回転自在のガイドローラーを前記ガイド用スリット内に挿通したものであって、
シャフトブッシュは、板状の基部にローラーチェーンの両端部を固定し、基部表面より立ち上げ片を立ち上げ、この立ち上げ片に回転自在のもみ玉ローラー取付片を取付け、もみ玉ローラー取付片にもみ玉ローラーを取付け、さらに前記基部の裏面より外側方向にピンを突設し、このピンにガイドローラーを取付け、ガイドローラー部分をガイド用スリットに挿通せしめてなり、
駆動モーターによりシャフトを回転させることにより、ローラーチェーンが上下方向に移動し、これに伴いもみ玉ローラーがガイド用スリットにガイドされて上下方向に移動するように形成した
ことを特徴とする電動ローラーマッサージ用ユニット式ローラー駆動装置。
【請求項２】
立ち上げ片は三角形状に形成し、もみ玉ローラー取付片はＶ字状に形成してあり、その２方向に向く側片のそれぞれの頂端にもみ玉ローラーを取付け、前記２側片の表面にはストッパーを突設してなることを特徴とする請求項１記載の電動ローラーマッサージ用ユニット式ローラー駆動装置。
【請求項３】
フレームの側縁部には上、下シャフトに隣合わせて駆動モーターの回転方向を変えるためのセンサーを設けてなることを特徴とする請求項１又は２記載のローラーマッサージ用ユニット式ローラー駆動装置。
【請求項４】
バケット状に形成し、中央部にローラー駆動装置設置用凹部を形成し、左、右にそれぞれ可撓性の左、右翼片部を設け、左、右翼片部に身体固定用及び他の什器固定用のベルトを取付けたものであって、前記ローラー駆動装置設置用凹部内に請求項１，２又は３記載のローラー駆動装置を設置したことを特徴とする電動ローラーマッサージ具。
【請求項５】
バケット状に形成した四周囲を外郭フレームで囲み、この外郭フレームの左、右フレーム間に上、下横杆を跨設し、上、下横杆には凹部を設けてあり、この凹部内に請求項１，２又は３記載のローラー駆動装置を取付けたことを特徴とする電動ローラーマッサージ具。
【請求項６】
坐部に回転自在に背部を取付けたものであって、背部は上側部、左、右側部を囲む外郭フレームを形成し、この外郭フレームの左、右側部間に上、下横杆を跨設し上、下には凹部を設けてあり、この凹部内に請求項１，２又は３記載のローラー駆動装置を取付けたことを特徴とする電動ローラーマッサージ具付きの座椅子。
【発明の詳細な説明】
【０００１】
【発明の属する技術分野】
この発明は、腰、背中及び首筋を押圧して背部のマッサージを行うのに使用する、ガイド用スリット式ローラーチェーンの作動による電動ローラーマッサージ用ユニット式ローラー駆動装置、及びこれを取付けた電動ローラーマッサージ具に関するものである。
【０００２】
【従来の技術】
従来、電動ローラーマッサージ具としては、全身大のマット式のものがみられた。その電動ローラーマッサージ具における動力電動伝達装置部分は、等身大長さのステンレスベルトを内蔵したローラー走行ガイドレールを左右一対として設け、その一端に一基の駆動源モーターを設置して、このモーターにローラーを装着して電動ローラー走行ベルトを軸着した構成となっている。そして、このローラー走行ベルトの始発機構と終発機構の両方を一組にして巻き取り収納箱と駆動源モーター１基を設けて、そのローラー走行ベルトが、始発機構から折り返し機構に走行して、その折り返し機構でさらに折り返して、終着機構に戻らなければならない（モーターが１基となっているため）「行きと戻りの二重ベルト構造」となっており、これに続いて終着機構から折り返し機構を経て、始発機構に戻り空の巻き取り収納箱に収納されてその往復を繰り返す、いわゆるローラー走行ベルトの「二重構造動力電動装置」と呼ばれる構造のものであった。また、背部だけにローラーマッサージ装置を内蔵したものがみられるが、これは背部に縦方向の螺旋軸を取付け、この螺旋軸にもみ玉ローラー部分を枢着し、螺旋軸を回転することによってもみ玉ローラーを上下方向に回転させる方式のものであった。
【０００３】
【発明が解決しようとする課題】
ところで、上記従来の電動ローラーマッサージ具は、全身大の長さにローラー走行ベルトを装着しなければならないので、ある程度の強靭さと弾力性を必要とするためステンレスベルトの装着を必要とし、また、ステンレスベルトの走行中のねじれや交差等のトラブルを防止するためにガイドレール等を精緻に併設したり、その他の補助部分を多数併設しなければならず、さらに、巻き取り方式なのでその収納箱も必要である等、複雑、かつ、容積の大きい重量のある構成を採用せざるを得ないものであって、製造コストのかかるものであった。
【０００４】
また、椅子の背部にローラーマッサージ具の駆動装置を内蔵した上記従来の製品では、大きいモーターを坐部に設置してあり、厚い坐部を形成しなければならない等、全体的に大きくて重く、移動に苦渋を強いられるものであった。
【０００５】
上記事情に鑑み、本出願人は、簡潔な構成で故障がなく、製造コストが安価であり、汎用性を有するとともに、使用することにより自然に背筋を伸ばした理想の体形を保持することができる電動ローラーマッサージ装置を開発したものである（特願平１０−１９３６０５、特願平１０−１９３６０９）。
本発明は上記発明をより簡潔にしてコンパクトになし、駆動をより確実かつスムースに行う電動ローラーマッサージ具のローラー駆動装置、及びこれを設置した電動ローラーマッサージ具を提供することを目的とする。
【０００６】
【課題を解決するための手段】
人体の背部の略高さ寸法に形成してあり、
基部とその左、右に左、右側縁部を立ち上げてフレームを形成し、
左、右側縁部には長さ方向に向き、かつ緩いカーブを有するガイド用スリットを穿設してあり、
フレームの上、下端部にはギヤを設けたシャフトを取付け、この上、下シャフト間にはギヤに噛合してローラーチェーンを巻設し、
ローラーチェーンにはもみ玉ローラーを固定したシャフトブッシュを取付け、
このシャフトブッシュの左、右端部に設けた回転自在のガイドローラーを前記ガイド用スリット内に挿通したものであって、
シャフトブッシュは、板状の基部にローラーチェーンの両端部を固定し、基部表面より立ち上げ片を立ち上げ、この立ち上げ片に回転自在のもみ玉ローラー取付片を取付け、もみ玉ローラー取付片にもみ玉ローラーを取付け、さらに前記基部の裏面より外側方向にピンを突設し、このピンにガイドローラーを取付け、ガイドローラー部分をガイド用スリットに挿通せしめてなり、
駆動モーターによりシャフトを回転させることにより、ローラーチェーンが上下方向に移動し、これに伴いもみ玉ローラーがガイド用スリットにガイドされて上下方向に移動するようにローラー駆動装置を形成したものであり、このローラー駆動装置を取付けた電動ローラーマッサージ具及び座椅子を形成したものである。
【０００７】
【発明の実施の形態】
以下、図示した実施の形態例に基づいて説明する。符号１は本発明のローラー駆動装置を示すものである。このローラー駆動装置１は人体の背部の略高さ寸法に形成してあり、ローラーチェーン２に取付けたもみ玉ローラー３をローラーチェーン２の上下方向の移動により、上下方向に移動させるように構成したものである。
【０００８】
ローラー駆動装置１をさらに詳述する。４はローラー駆動装置１の全体を配設しているフレームを示すもので、このフレーム４は、縦長長方形板状の基部４ａの長手方向に沿って左、右側縁部４ｂ，４ｂを直立させコ字板状に形成したものである。左、右側縁部４ｂ，４ｂにはそれぞれ長手方向（上下方向）に向くガイド用スリット４ｃが設けてある。ガイド用スリット４ｃは図２に示すように、中間部を凹状にした（前方から見て）緩いカーブを有して穿設してあり、高齢者でも無理のない背面カーブに適合したものとなっている。なお、ガイド用スリット４ｃは、この形態例に止まらず、例えば図６に示すように、理想の体型を保持できるようなＳ字カーブ等、任意のカーブをとり得るものである。
【０００９】
ガイド用スリット４ｃによってもみ玉ローラー３はシャフトブッシュ５を介してガイドされ、上下方向に移動するように形成されている。シャフトブッシュ５は、長方形板状の基部５ａの表面内側縁より三角形状の立ち上げ片５ｂを設けてあり、基部５ａの裏面に２本のピン６を外側方向に突設したものである。そして、２本のピン６の先端に回転自在のガイドローラー７を取付けてあり、このガイドローラー７がガイド用スリット４ｃ内に挿設してあり、又、立ち上げ片５ｂの頂端部にはもみ玉ローラー取付片８を介してもみ玉ローラー３が回転自在に取付けてある。
【００１０】
もみ玉ローラー取付片８はＶ字状に形成し回転自在に立ち上げ片５ｂに取付けてあり、もみ玉ローラー取付片８の２方向に斜めに形成された側片には外側方向にストッパー８ａが突設してあり、ストッパー８ａが立ち上げ片５ｂに当接することによって、必要以上の下方向への回転を阻止するようになっている。そして、もみローラー取付片８の左、右頂端部にそれぞれもみ玉ローラー３が適宜前後方向に移動できるように取付けてある。もみ玉ローラー３はフレーム４の左、右側縁４ｂ，４ｂの内側に沿ってそれぞれ２個ずつ配設され、左、右もみ玉ローラー３，３はもみ玉ローラー取付片８，８間に跨設されたシャフト９によって連結されている。なお、もみ玉ローラー３は片側２個に限定されることはなく、もみ玉ローラー取付片８を変えるなどして片側１個あるいはその他の複数個取付けることも可能である（図示せず）。
【００１１】
シャフトブッシュ５の基部５ａには、リング状に巻設したローラーチェーン２をリング状になしたその両端部が固定してある。このローラーチェーン２は、フレーム４の側縁部４ｂの上、下端部間に跨設したシャフト１０とシャフト１１に取付けたギヤ１２，１２（プーリーに該当する）間に巻かれ張設してある。そして、フレーム４の基部４ａの下端中央部には駆動モーター１３が取付けてあり、この駆動モーター１３より下方向に突出したシャフト１３ａに取付けた笠歯車１４とシャフト１１に取付けた笠歯車１５によってシャフト１１に減速回転を与え、シャフト１１の左、右端部に取付けたギヤ１２が回転し、ローラーチェーン２及びもみ玉ローラー３が上下方向に移動するようになっており、フレーム４の側縁部４ｂの上、下シャフト１０，１１に隣合わせてモーター１３の回転方向を変えるためのセンサー１６が側縁４ｂに取付けてあり、もみ玉ローラー３は繰り返し往復移動できるようになっている。又、側縁４ｂにはローラーチェーン２保護用のカバー１７を取付けるため、ビス孔を設けた突起１８を突設してある。
【００１２】
以上の本発明のローラー駆動装置１は、例えば椅子、列車、航空機あるいは自動車のシート等の什器における背部に恒常的に内蔵設置されるユニットとして使用され、その他独立して使用する電動ローラーマッサージ具としても形成され得るものである。
【００１３】
図７乃至図９は、前記ローラー駆動装置１を内蔵設置した電動ローラーマッサージ具の一例を示したものである。符号１９は背部基体を示すものであり、背部基体１９は硬質合成樹脂からなり、人体の背部の略高さ寸法を有して前方に湾曲したバケット状に形成してなるものであって、幅方向の中央部に上端より下端にかけて連通するローラー駆動装置設置用凹部２０を設けてあり、左、右側部は中間部より下端にかけてそれぞれ外側に膨出して左、右翼片部２１，２１を形成してあり、この左、右翼片部２１，２１は、他の部位より薄く形成し可撓性となっており、さらに、前記ローラー駆動装置設置用凹部２０内にローラー駆動装置１を内蔵設置したものである。
【００１４】
背部基体１９の左、右翼片部２１，２１には、背部基体１９と身体とを固定するための固定用ベルト１９ａと、背部基体１９をいす、自動車のシート等他の什器に固定するための固定用ベルト１９ｂが取付けてある。
【００１５】
図８、図９において２２は前記ローラー駆動装置１を内蔵設置した背部基体１９の全体を被覆する表面カバーである。この表面カバー２２には前記固定用ベルト１９ａ，１９ｂを表出させるための挿通スリットを左、右側部に設けファスナー２３が取付けてあり、着脱が可能なように幅方向中央に縦方向のファスナー２４が取付けてある。
【００１６】
本発明のローラー駆動装置１を設置した電動ローラーマッサージ具の一例は以上のとおりであり、使用に際しては、他の什器に固定用ベルト１９ｂで固定し（他の什器を使用しない場合はそのままでよい）。左、右翼片部１９，１９をさらに湾曲して身体にフィットさせて固定ベルトで固定させる。しかる後、駆動モーター１３のスイッチをオンにすれば、ローラー駆動装置１が駆動し、ローラーチェーン２は徐々に上下方向に移動し、これに伴いもみ玉ローラー３がガイド用スリット４ｃにガイドされたカーブに従って首筋から腰部に至る背部を順に押圧してローラーマッサージを行うものである。なお、他の什器にユニットとして内蔵設置された場合もローラー駆動装置１の作用は全く同様である。
【００１７】
図１０は他の形態例の電動ローラーマッサージ具２５における骨組を示すものである。この電動ローラーマッサージ具２５は前記背部基体１９の外郭形状と略同様の形状に鋼製パイプを折曲して四周囲を囲む外郭フレーム２６を形成し、この外郭フレーム２６の左、右側部間に帯鋼による上、下駆動装置支持用の上、下横杆２６ａ，２６ａを跨設してあり、下横杆２６ａ，２６ａの中央は前記ローラー駆動装置１の幅寸法程度の台形状に凹ませてあり、この凹部にローラ−駆動装置１を取付け、さらに、ポリウレタンフォーム等の緩衝材を介して表面カバーで被覆したものである。
【００１８】
図１１は電動ローラ−マッサージ具付きの座椅子２７の骨組を示すものである。この坐椅子２７の背部２８は前記電動ローラーマッサージ具２５の外郭フレーム２６の下側辺部分を削除した、鋼製パイプによる上部及び左、右を囲む外郭フレーム２８ａを形成し、同様に上、下横杆２８ｂ，２８ｂを外郭フレーム２８ａに跨設してあり、上、下横杆２８ｂの凹部にローラー駆動装置１を取付けてある。坐部２９は鋼製パイプによって長方形枠状に外郭フレーム２９ａを形成してあり、その後端部に回転自在の連結突起２９ｂが突設してある。そして、連結突起２９ｂに前記外郭フレーム２８ａの下端部を挿嵌したものであり、背部２８及び坐部２９にポリウレタンフォーム等の緩衝材を介して表面カバーで被覆したものである。
【００１９】
【発明の効果】
以上、本発明はローラーチェーンを上、下シャフト間に巻設し、上、下シャフトに設けたギヤに噛合させて、このローラーチェーンを介してもみ玉ローラーを上、下移動するよう構成されているので、従来の「行きと戻りの二重ベルト構造」ように空の巻取り収納箱のような余分な構造を必要とせず、また、ローラーチェーンは上、下シャフトに設けたギヤに確実に噛合して移動するようになっているので、ローラーチェーンに多少の撓みが生じても外れる恐れがなく従来の撓みを許さないステンレスベルトの回転によるもののように、外れ防止用の種々の機構を付加する必要がなく、さらに、ガイド用スリットでガイドされるのでガイド用レールなどが必要なく、種々なカーブをとることができる等、簡潔でコンパクトな構成となっており、トラブルが生じにくい。
【００２０】
そして、本発明は上半身の高さ寸法に形成され、容量が小さく軽量であるため、ユニットとして椅子、自動車、列車、航空機等のシートの内部に恒常的に内蔵設置してさら非常に広い利用範囲が見込まれる。また、独自にローラーマッサージ具として椅子、自動車等のシートの背部に簡単に取付けて使用することができる。
【図面の簡単な説明】
【図１】本発明のローラーマッサージ装置の正面図である。
【図２】左側面図である。
【図３】正面中央縦断面図である。
【図４】もみローラー取付け部分を示す一部斜視図である。
【図５】もみローラー取付け部分の一部断面図である。
【図６】ガイド用スリットの他の形態例を示す左側面図である。
【図７】本発明の電動ローラーマッサージ具を示す正面図である。
【図８】電動ローラーマッサージ具の正面斜視図である。
【図９】電動ローラーマッサージ具の背面斜視図である。
【図１０】他の実施の形態例における電動ローラーマッサージの骨組みを示す斜視図である。
【図１１】電動ローラーマッサージ付き坐椅子の骨組みを示す斜視図である。
【符号の説明】
１  ローラーマッサージ駆動装置
２  ローラーチェーン
３  もみ玉ローラー
４  フレーム
４ｃ  ガイド用スリット
５  シャフトブッシュ
６  ピン
７  ガイドローラー
８  ローラー取付片
９  シャフト
１０  シャフト
１１  シャフト
１２  ギヤ
１３  駆動モーター
１４  傘歯車
１５  傘歯車
１６  センサー
１７  カバー
１８  突起
１９  背部基体
２０  ローラ−マッサージ駆動装置設置用凹部
２１  翼片部
２２  表面カバー
２３  ファスナー
２４  ファスナー
２５  電動ローラーマッサージ具
２６  外郭フレーム
２７  坐椅子
２８  背部
２９  坐部
【図１】
0004182383.tif 000002
【図２】
0004182383.tif 000003
【図３】
0004182383.tif 000004
【図４】
0004182383.tif 000005
【図５】
0004182383.tif 000006
【図６】
0004182383.tif 000007
【図７】
0004182383.tif 000008
【図８】
0004182383.tif 000009
【図９】
0004182383.tif 000010
【図１０】
0004182383.tif 000011
【図１１】
0004182383.tif 000012